(57)【要約】　　　（修正有）【課題】一枚の方形状の素材から、簡単な縫着だけで、形状の変えられる袋と小袋を作成する。【解決手段】方形状の本体１の、相対する各辺上に複数の点６，７を定め、その各同一辺上の二つの点６と点７を固着し、その固着点より、点６、６、点７、７を結んだ線上の交差点８まで縫着することによって、箱形状の袋を形成し、同時に、三角形状の小袋を四個形成する。又前記複数の点６，７を移動させることにより袋と小袋の大きさを変化させ得るものである。【選択図】図１
2004024832.tif 000002
【特許請求の範囲】
【請求項１】
方形状の本体の、各辺上に複数の移動可能な定点を定め更に、その各辺上の隣接する二つの定点を固着し、その固着した定点から内方向に、若干縫着して、箱型状の袋を形成し、又、同時に三角形状の小袋を形成することと、
相対する二つの隅に、取付部を設けて、手さげ部を形成することと、
前記相対する二つの隅以外の相対する二つの隅に、係着部を設け、係着可能の係着具を備えさせることと、
を具備する小袋つき手さげ袋の作成方法。
【請求項２】
隣接する三角形状の小袋の形成されていない頂点を、二つ重着し、更に、その重着した頂点から若干内方向に縫着して筒状を形成する請求項１記載の小袋つき手さげ袋の作成方法。
【請求項３】
本体の袋の一部にワンポイントの装飾を設ける請求項１或いは２記載の小袋つき手さげ袋の作成方法。
【発明の詳細な説明】
【０００１】
【発明の属する技術分野】
本発明は、小袋を備えた手さげ袋の作成方法に関するものである。
【０００２】
【従来の技術】
従来の手さげ袋にあっては、製造工程が複雑であり、小袋にあつては、別布、又は、別素材を使用するなど手間がかかった。
【０００３】
【発明が解決しようとする課題】
従来の手さげ袋は、作成にあたり、複数の素材を縫製するから手間ひまがかかり、又小袋を設ける場合は、別素材を付加するという問題があった。
【０００４】
本発明は、方形状の素材を使用して、定点を移動して袋と小袋の大きさを変えることが可能である、袋と小袋を同時に形成する小袋つき手さげ袋を作成することを目的としている。
【０００５】
【課題を解決するための手段】
上記課題を解決するために、本発明は、方形状の本体の各辺上に定めた隣接する二つの定点を固着し、その固着した定点から内方向に、若干縫着して、本体を略箱形状の袋に形成するとともに、三角形状の小袋を四個形成するものである。又前記定点を移動して、袋と小袋の大きさを変え、袋の形態を変えることを可能にする。
【０００６】
本体は、手さげ部を設け、その手さげ部を取り付ける取付部の位置は、手さげ袋の相対する二つの隅の適当な筒所とすることが可能であるが、特に、若干内方向に入つた位置に取り付けることが効果的である。
【０００７】
また、上記手さげ部を設けた隅以外の相対する二つの隅に、係着可能の、係着具を取り付けて、係着部を形成するとよい。
【０００８】
さらに、前記三角形状の小袋は隣接する二つの頂点を、重着し更に、内方向に若干縫着して筒状を形成することもできる。
【０００９】
そして、手さげ袋の本体には、ワンポイントの装飾を備えることもできる。
【００１０】
【実施例】
実施例について、図面を参照して説明する。
図１は、小袋つき手さげ袋の製造工程を示すものである。
（イ）第一工程（図１）：方形状の本体１の四隅を、隅２、隅３、隅４、隅５とし、隅２と隅４に隣接する各辺上に隅２と隅４からそれぞれ同寸法の位置に、点６を定め、又、隅３と隅５に隣接する各辺上に隅３と隅５からそれぞれ同寸法の位置に、点７を定める。
（ロ）第二工程（図１）：相対する隅２と隅４に隣接する各辺上の相対する点６と点６をそれぞれ線で結び、更に、相対する隅３と隅５に隣接する各辺上の相対する点７と点７を、それぞれ線で結ぶ。
（ハ）第三工程（図１）：各同一辺上の、点６と点７を固着し、その固着点より、それぞれ上記結んだ線上の交差点８まで縫着することによって、本体１は、箱形状の袋の形態に又、同時に、三角形状の小袋９を四個形成する。
【００１１】
図２に示される実施例では、隅３と隅５を、内方向に若干折り曲げて、取付部１１を形成し、この時、取付部１１に芯を内臓してもよいし、又、袋と同素材で紐状に形成し、或いはテープ等をＶ字状に曲げて、手さげ部１０を形成して、取付部１１に取り付ける。または更に、図３に示されるように手さげ部１０を延長して、本体の袋１の底を一周する形状にする。
【００１２】
図２に示される実施例では、隅２と隅４に、係着部１２を設けて、係着可能の係着具１３を備える。係着具には、マジックテープ、ボタン、ホック、等が考えられる。また袋１の適宜の位置にワンポイント１６を備える。
【００１３】
図４に示される実施例では、図４は、袋１の裏の側面を表した図であり、隅２と隅４に隣接する各辺上の点６と点７の中間点の点１４と点１４を、重着し、更に、その重着位置から内方向に若干縫着して、筒状部１５を形成する。
【００１４】
手さげ袋１の大きさは限定されない。又、手さげ部１０、或いは、係着部１２の取り付け有無は、自由であり、その弔さげ部１０、或いは、係着部１２の取り付け位置も自由である。
【００１５】
上記、手さげ部１０、係着部１２を設けずに、隅３と隅５を両方から合せ、蓋の状態とし、隅２と隅４を結び手さげ部として利用する。
【００１６】
素材としては、布、革、毛糸、紙、金属等が考えられ、素材により縫着不可能なものは、接着剤で接着し、又、溶接してもよい。また、風呂敷を利用することもできる。
【００１７】
手さげ袋１には、動物、花、鳥、その他造形物等を、ワンボイント１６として取り付けてもよい。
【００１８】
前記、方形状の本体１の大きさの大小を変化させることも、又、各辺上の点６、点７の位置を左右に自由に移動して、小袋９の大きさを大小に変化させることも可能であり、更に、手さげ部１０の長短も必要に応じて自由に変えることができるものであり、その他、デザイン、大きさ、素材の組合せ等、本発明の範囲内において、使用できるものである。
【００１９】
【発明の効果】
本発明は、以上説明したように構成されているので、以下に記載されるような効果を奏する。
【００２０】
方形状の素材の各辺上の二点を固着し、続いて内方向にそれぞれ若干縫着するだけで、容易に袋の形態に形成することができ、同時に三角形状の小袋を四個形成するという簡単なものである。
また、定点６、７を移動させることにより、袋及び小袋の大きさを変えることが出来る。
【００２１】
手さげ袋は、取付部に手さげ部を、取り付けることにより、又その長さも、取り付ける位置も自由に定められるので、袋がより有効に利用できる。又、手さげ部を延長して本体の袋の底を一周する形状にすれば、袋は一層丈夫なものとなり、重い物を入れるのに重宝する。
【００２２】
更に、係着部に係着具を設けることによって、隅２と隅４を係着すれば、袋の中の内容物等が、見えたり、又、自転車に乗っていて、飛び出したりするのを防止すろことができる。
【００２３】
又、本体の点１４と点１４を重着し、更に、それより若干縫着して、筒状を形成することにより、太く、長い物を入れるのに便利であり、又、四個の小袋には、小さい物を入れるのに利用すれば、小物の紛失防止に役立つものである。
【００２４】
前記、手さげ部を設けず、両端を結んで利用したり、本体の大きさを大小にかえたり、又、各辺上の固着点の位置は、左右移動可能であるから、したがって、小袋の大きさが、大小自由に変化でき、同時に本体の袋の形の変化も楽しめたり、又、このように利用に応じて袋の形態が変えられるので、携帯用の小さい袋から、スーパーの買物袋、ハイキング用の肩かけ袋まで利用範囲の広いものである。
【００２５】
風呂敷を利用した手さげ袋は、素材の種類も、模様の種類も多いから好みに応じて使える。また、お目出度い時、うれしい時、悲しい時等、時と場合により使い分けられるから大変重宝である。
【００２６】
手さげ袋の製造工程も少なく、一枚の素材から筒単に製造することができ、又、裁断等も不要であるから、設備費も安くなり、作業面積も少なくてすみ、そして折りたためば、かさばらず、輸送もすぺて経済的であり、本発明の小袋つき手さげ袋は、このような著しい効果を有するものである。
【図面の簡単な説明】
【図１】小袋つき手さげ袋の製造工程を示す平面図である。
【図２】小袋つき手さげ袋の斜視図である。
【図３】小袋つき手さげ袋の斜視図である。
【図４】小袋つき手さげ袋の裏面の側面図である。
【符号の説明】
１　本休、手さげ袋
２、３、４、５　隅
６、７、１４　　点
８　　交差点
９　　小袋
１０　手さげ部
１１　取付部
１２　係着部
１３　係着具
１５　筒状部
１６　ワンポイント
【図１】
2004024832.tif 000003
【図２】
2004024832.tif 000004
【図３】
2004024832.tif 000005
【図４】
2004024832.tif 000006